(57)【要約】【課題】本発明は、自動車用やクレーンなど、パワー用途に対応する単位体積あたりの高エネルギー密度と内部抵抗の低減による高出力密度のキャパシターに適するリチウムイオンキャパシターの負極被膜と電極被膜形成用塗料組成物を提供する。【解決手段】分散剤を含む水媒体中に、難黒鉛化性炭素、導電助剤およびバインダーを含有してなる電極被膜形成用塗料組成物を金属箔上に塗布し、加熱乾燥して被膜化させたリチウムイオンキャパシターの負極被膜であって、前記導電助剤がケッチェンブラック、アセチレンブラック及び黒鉛の中の少なくとも何れか一種からなり、前記負極被膜中の構成粒子の粒度分布は、Ｄ１０粒子径が０．５μｍ以上、Ｄ５０粒子径が１〜４μｍの範囲、Ｄ９０粒子径が８μｍ以下であり、前記負極被膜の比表面積が１．５〜２５ｍ２／ｇの範囲であり、前記負極被膜の表面粗さが０．１〜０．３μｍの範囲である。【選択図】  なし【特許請求の範囲】
【請求項１】
分散剤を含む水媒体中に、難黒鉛化性炭素、導電助剤およびバインダーを含有してなる電極被膜形成用塗料組成物を金属箔上に塗布し、加熱乾燥して被膜化させたリチウムイオンキャパシターの負極被膜であって、
前記導電助剤がケッチェンブラック、アセチレンブラック及び黒鉛の中の少なくとも何れか一種からなり、
前記負極被膜中の構成粒子の粒度分布は、Ｄ１０粒子径が０．５μｍ以上、Ｄ５０粒子径が１〜４μｍの範囲、Ｄ９０粒子径が８μｍ以下であり、
前記負極被膜の比表面積が１．５〜２５ｍ２／ｇの範囲であり、
前記負極被膜の表面粗さが０．１〜０．３μｍの範囲であることを特徴とするリチウムイオンキャパシターの負極被膜。
【請求項２】
前記負極被膜のラマン分光スペクトルのＲ値が１．３〜１．７の範囲であり、Ｄバンドの半値幅Ｗ値が７２〜１１５の範囲である請求項１記載のリチウムイオンキャパシターの負極被膜。
【請求項３】
前記負極被膜の膜厚４０μｍのシート抵抗値が４０〜４００Ωの範囲である請求項１または２に記載のリチウムイオンキャパシターの負極被膜。
【請求項４】
前記負極被膜の塗膜密度が０．８〜１．０５ｇ／ｃｍ３の範囲である請求項１〜３の何れかに記載のリチウムイオンキャパシターの負極被膜。
【請求項５】
分散剤を含む水媒体中に、難黒鉛化性炭素、導電助剤およびバインダーを含有してなる電極被膜形成用塗料組成物であって、
前記導電助剤がケッチェンブラック、アセチレンブラック及び黒鉛の中の少なくとも何れか一種からなり、
粒度分布は、Ｄ１０粒子径が０．５μｍ以上、Ｄ５０粒子径が１〜４μｍの範囲、Ｄ９０粒子径が８μｍ以下であり、且つ、ラマン分光スペクトルのＲ値が１．５〜１．７の範囲であり、Ｄバンドの半値幅Ｗ値が９６〜１０２の範囲である前記難黒鉛化性炭素と、
ラマン分光スペクトルのＲ値が０．２〜１．６５の範囲であり、Ｄバンドの半値幅Ｗ値が１７〜９５の範囲である前記導電助剤とを添加してなることを特徴とするリチウムイオンキャパシターの電極被膜形成用塗料組成物。
【発明の詳細な説明】
【技術分野】
【０００１】
本発明は、自動車用やクレーンなど、パワー用途に対応する単位体積あたりの高エネルギー密度と内部抵抗の低減による高出力密度のキャパシターに適するリチウムイオンキャパシターの負極被膜及び電極被膜形成用塗料組成物に関する。
【背景技術】
【０００２】
電気二重層キャパシター（Electric Double Layer Capacitor：ＥＤＬＣ）は容量が大きく、高出力でメンテナンスフリーなどの特長により、自発光式道路鋲、瞬間電圧低下補償装置や太陽電池の平滑化電源、クレーンなどの回生電源、自動車のアイドリングストップ電源などで使用が開始され、今後、更なる拡大が期待されている。また、負極にリチウムイオンのインターカレーション反応を利用するリチウムイオンキャパシター（Lithium-Ion Capacitor：ＬＩＣ）はＥＤＬＣよりエネルギー密度を約４倍高くできるため、高容量化が望まれる産業用や自動車用などの電源としての展開が期待されている。
【０００３】
例えば、特許文献１には、エネルギー密度や出力密度に関し、室温での特性と同時に、低温での特性、特に静電容量が低下することのない改良された蓄電装置を提供することを目的に、負極の５０％体積累積径（Ｄ５０）が０．１〜２．０μｍである負極活物質粒子から形成し、さらに負極活物質粒子の全メソ孔容積が０．００５〜１．０ｃｍ３／ｇで、比表面積が０．０１〜１０００ｍ２／ｇである炭素材料またはポリアセン系物質を負極とするリチウムイオンキャパシターが開示されている。
【０００４】
また、特許文献２には、エネルギー密度および出力密度が高く、かつ耐電圧も高く、耐久性に優れたリチウムイオンキャパシターを提供することを目的に、リチウムイオンおよび／またはアニオンを可逆的に担持可能な物質からなる正極と、リチウムイオンを可逆的に担持可能な物質からなる負極を備えており、かつ電解液としてリチウム塩の非プロトン性有機溶媒電解質溶液を備えたリチウムイオンキャパシターであって、（ａ）負極活物質が、水素原子／炭素原子の原子数比が０以上０．０５未満の難黒鉛化性炭素であり、（ｂ）セルの充電電圧に対し１／２の電圧まで放電した際の負極電位がリチウム金属電位に対し０．１５Ｖ以下になるように、予め負極および／または正極に対してリチウムイオンがドーピングされていることが開示されている。
【０００５】
また、特許文献３には、低温特性、エネルギー密度のさらなる向上および高出力化が図られた蓄電デバイス用負極活物質を提供することを目的に、コアとなる炭素粒子と、炭素粒子の表面および／または内部に形成されたグラフェン構造を有する繊維状炭素との炭素複合体からなり、全メソ孔容積が０．００５〜１．０ｃｍ３／ｇ、細孔径１００〜４００Åのメソ孔が全メソ孔容積の２５％以上を占めるように構成し、さらに炭素複合体の比表面積が０．０１〜２０００ｍ２／ｇである負極材料、また炭素粒子が易黒鉛化性炭素、難黒鉛化性炭素、黒鉛およびポリアセン系物質のうちの少なくとも一つからなる負極活物質が開示されている。
【０００６】
また、特許文献４には、リチウムイオンキャパシターにおいて高いエネルギー密度、高い出力密度、高い耐久性が得られる負極材料を提供することを目的に、負極活物質にｄ００２の平均格子面間隔が０．３３５〜０．３３７ｎｍの黒鉛を使用し、さらに負極活物質には９０％体積累積径（Ｄ９０）と１０％体積累積径（Ｄ１０）の差（Ｄ９０−Ｄ１０）≦７．０μｍの黒鉛、また５０％体積累積径（Ｄ５０）がＤ５０≦４．０μｍであるリチウムイオンキャパシターが開示されている。
【０００７】
【特許文献１】特開２００６−３０３３３０号公報
【特許文献２】特開２００７−１１５７２１号公報
【特許文献３】特開２００８−６６０５３号公報
【特許文献４】特開２００８−１０３５９６号公報
【発明の開示】
【発明が解決しようとする課題】
【０００８】
しかしながら、自動車用やクレーンなど、パワー用途に対しては単位体積あたりの高エネルギー密度と内部抵抗の低減による高出力密度のキャパシターが要求され、リチウムイオンキャパシターの用途拡大にあたっては、さらなる内部抵抗の低減とコストの低減が重要な課題となっている。
【０００９】
難黒鉛化性炭素は、規則的な黒鉛の結晶構造が殆ど無いため、不規則なリチウムイオン吸蔵サイトを有する。またリチウムイオン吸蔵サイトは黒鉛の層間より広いため、リチウムイオンの細孔内拡散が速く、リチウムイオン吸蔵時の膨張も殆ど起こらない炭素材料である。この特徴を生かし、リチウムイオン二次電池のサイクル特性向上や出力向上用として、またハイブリッド自動車用途のリチウムイオン電池の負極材料として、難黒鉛化性炭素が使用されている。
【００１０】
難黒鉛化性炭素を用いたリチウムイオン二次電池の負極形成用塗料としては、バインダーをポリフッ化ビニリデン粉末、媒体をＮ−メチルピロリドンなどとした有機溶剤系スラリーのタイプが一般的で、媒体を水系とした水性塗料組成物は見当たらない。このことは、リチウムイオン二次電池より検討の浅いリチウムイオンキャパシターにおいては、さらに顕著になり、本発明者らは、この検討が殆どされていないと考えている。
【００１１】
さらに、リチウムイオンキャパシターでは、負極にリチウムイオンをプレドープする必要があるために、負極材料の設計は、リチウムイオン電池用負極材の設計方法とは方向性が異なる。具体的には、内部抵抗の低減と容量の向上が最優先になり、不可逆容量の許容範囲は大きくなる。このため、リチウムイオンキャパシター用負極電極の設計にあたっては、高比表面積化、小粒径化、塗膜構造の最適化など、従来にはない設計が必要になる。
【００１２】
リチウムイオンキャパシターを普及化させるためには、キャパシターの容量の向上と内部抵抗の低減を達成する電極被膜を得る必要がある。そこで、本発明の課題は、負極被膜中の構成粒子の粒度、特に被膜の主構成材である難黒鉛化性炭素の粒度を最適化し、電極被膜形成用塗料組成物の塗工条件を最適化し、得られる被膜の膜構造の最適化することによって、単位体積あたりの高エネルギー密度と内部抵抗の低減による高出力密度のキャパシターに適するリチウムイオンキャパシターの負極被膜及び電極被膜形成用塗料組成物を提供することにある。
【課題を解決するための手段】
【００１３】
前記課題を解決するために、本発明は、分散剤を含む水媒体中に、難黒鉛化炭素、導電助剤およびバインダーを含有してなる電極被膜形成用塗料組成物を金属箔上に塗工法で塗布した後、６０〜１８０℃の加熱温度で被膜化させたリチウムイオンキャパシターの負極被膜であって、
前記導電助剤がケッチェンブラック、アセチレンブラック及び黒鉛の中の少なくとも何れか一種からなり、
前記負極被膜中の構成粒子の粒度分布は、Ｄ１０粒子径が０．５μｍ以上、Ｄ５０粒子径が１〜４μｍの範囲、Ｄ９０粒子径が８μｍ以下であり、
前記負極被膜の比表面積が１．５〜２５ｍ２／ｇの範囲であり、
前記負極被膜の表面粗さが０．１〜０．３μｍの範囲であることを特徴とするリチウムイオンキャパシターの負極被膜とする。
ここで、「前記負極被膜中の構成粒子」は、前記負極被膜を主に構成する粒状配合材である難黒鉛化炭素及び導電助剤を含む粒子を言い、負極被膜を構成する粒子を微細化することにより、リチウムイオンの拡散抵抗が低減し内部抵抗の低減、即ち、出力の向上に寄与する。また、電極被膜形成用ペースト（塗料組成物）の塗工性が被膜の平滑さと密度に影響を及ぼし、被膜の平滑さが優れた負極被膜を形成するために重要な要件となる。
【００１４】
また、前記課題を解決するために、本発明は、前記負極被膜のラマン分光スペクトルのＲ値が１．３〜１．７の範囲であり、Ｄバンドの半値幅Ｗ値が７２〜１１５の範囲である前記のリチウムイオンキャパシターの負極被膜とすることが好ましい。負極被膜構成粒子の中で特に難黒鉛化性炭素は微粒子化により固有の構造が劣化していないことが重要である。
【００１５】
また、前記課題を解決するために、本発明は、前記負極被膜の膜厚４０μｍのシート抵抗値が４０〜４００Ωの範囲である前記のリチウムイオンキャパシターの負極被膜とすることが好ましい。内部抵抗を低減するためには電気抵抗を低減することが重要である。
【００１６】
また、前記課題を解決するために、本発明は、前記負極被膜の塗膜密度が０．８〜１．０５ｇ／ｃｍ３の範囲である前記のリチウムイオンキャパシターの負極被膜とすることが好ましい。リチウムイオンキャパシターの容量を向上するためには塗膜密度を高くする必要がある。前記構成とすることにより、容量と出力がともに優れたリチウムイオンキャパシターが得られる機序による。
【００１７】
また、前記課題を解決するために、本発明は、分散剤を含む水媒体中に、難黒鉛化性炭素、導電助剤およびバインダーを含有してなる電極被膜形成用塗料組成物であって、
前記導電助剤がケッチェンブラック、アセチレンブラック及び黒鉛の中の少なくとも何れか一種からなり、
粒度分布は、Ｄ１０粒子径が０．５μｍ以上、Ｄ５０粒子径が１〜４μｍの範囲、Ｄ９０粒子径が８μｍ以下であり、且つ、ラマン分光スペクトルのＲ値が１．５〜１．７の範囲であり、Ｄバンドの半値幅Ｗ値が９６〜１０２の範囲である前記難黒鉛化性炭素と、
ラマン分光スペクトルのＲ値が０．２〜１．６５の範囲であり、Ｄバンドの半値幅Ｗ値が１７〜９５の範囲である前記導電助剤とを添加してなることを特徴とするリチウムイオンキャパシターの電極被膜形成用塗料組成物とする。
【発明の効果】
【００１８】
本発明のリチウムイオンキャパシターの負極被膜を前記のように構成したことにより、リチウムイオンキャパシターの容量向上、出力向上、コスト低減が可能となった。また、負極被膜を構成する活物質材は、難黒鉛化性炭素の微粒子化による粒径と構造の最適化が重要であることから、係る難黒鉛化性炭素の構造を規定することによって最適で安定した品質の負極被膜が得られる。その他の配合材である導電助剤、水溶性分散剤および水系バインダーの最適配合で高品位なリチウムイオンキャパシター用負極被膜が得られる。更に、本発明に係る負極被膜形成用ペーストは水媒体品であるため作業環境が良くなり、製造コストの低減に寄与する効果を奏する。
【発明を実施するための最良の形態】
【００１９】
この発明の第一の特徴は、主に難黒鉛化性炭素および導電助剤から構成されるリチウムイオンキャパシターの負極被膜において、負極被膜中の構成粒子の粒度分布は、Ｄ１０粒子径が０．５μｍ以上、Ｄ５０粒子径が１〜４μｍの範囲、Ｄ９０粒子径が８μｍ以下で、負極被膜の比表面積が１．５〜２５ｍ２／ｇの範囲で、負極被膜の表面粗さが０．１〜０．２μｍの範囲とする。負極被膜中の粒度分布は、走査型電子顕微鏡（ＳＥＭ）による被膜断面を観察する方法により行う。また、事前に負極被膜形成用ペーストを試料対象にして、レーザー回折式粒度分布測定によって粒度分布を特定することが可能であり、係る測定によって特定された粒度分布も本発明の構成粒子の粒度分布として含まれる。
【００２０】
１０％体積累積径のＤ１０粒子径、すなわち構成粒子の粒子径下限に近い方の値は０．５μｍ以上、好ましくは０．７μｍ以上である。Ｄ１０粒子径が０．５μｍ未満では、粉砕過程で粉砕が困難となり、また粒子間の凝集が著しくなる結果、比表面積が増加してしまい好ましくない。換言すれば、０．５μｍ未満の体積基準粒子量は負極被膜中に１０％未満とすることとなる。
【００２１】
いわゆる平均粒子径であるＤ５０粒子径（５０％体積累積径）は、１〜４μｍの範囲、好ましくは１．２〜３．５μｍの範囲、特に好ましくは１．５〜３．０μｍの範囲である。Ｄ５０粒子径が１μｍ未満では微粒子が多くなるため、粒子間の接触抵抗が大きくなり、負極被膜の電気抵抗値が上昇するので好ましくない。また、負極被膜の主構成材となる難黒鉛化性炭素粒子に着目すると、難黒鉛化性炭素粒子においては、Ｄ５０粒子径を１μｍ未満にすると粒子間の凝集が発生し、固有の構造が崩壊され容量が低下する。特にＤ５０粒子径が０．８μｍ以下とすると、微粒子化による凝集、比表面積の増大が発生する。さらに塗膜の硬度も上昇し、屈曲に寄る割れや剥離が生じやすくなる。一方、負極被膜構成粒子の平均粒子径が４μｍを越えると粒子径が大きすぎるためにリチウムイオンの細孔内拡散抵抗が高くなり目標の内部抵抗を得る電極が作製できない。
【００２２】
また、Ｄ９０粒子径（９０％体積累積径）、すなわち構成粒子の粒子径上限に近い方の値は８μｍ未満、好ましくは６．５μｍ以下、特に好ましくは５．５μｍ以下である。Ｄ９０粒子径が８μｍ以上となると、膜厚６０μｍ以下の塗工においてスジむらなどの塗膜欠陥が生じやすくなり、塗工時の歩留まりを低下させ好ましくない。
【００２３】
次に、負極被膜の比表面積は１．５〜２５ｍ２／ｇの範囲、好ましくは２〜１５ｍ２／ｇの範囲、特に好ましくは３．５〜１０ｍ２／ｇの範囲である。被膜の比表面積は、容量と出力（内部抵抗）を最適化するのに重要で、比表面積が２〜２５ｍ２／ｇの場合に容量、内部抵抗ともに優れた特性を示す。被膜の比表面積が２５ｍ２／ｇを超えると、主構成材である難黒鉛化性炭素では構造が劣化し容量低下を引き起こすおそれがある。被膜の電気抵抗値や被膜の密度は、比表面積が増加するほど低下する傾向がある。この傾向から負極被膜の比表面積は１．５〜２５ｍ２／ｇの範囲が好ましい。
【００２４】
また、被膜の比表面積は、主構成材の難黒鉛化性炭素の比表面積と相関がある。一方、難黒鉛化性炭素粒子の粒度と難黒鉛化性炭素粒子の比表面積に相関はない。この理由は以下のとおりである。難黒鉛化性炭素をビーズを媒体とした乾式粉砕機で粉砕処理すると、粒子の粉砕と同時に粒子同士の凝集も発生し、粒子径約１μｍ以下の粒子を得るのは難しくなる。乾式粉砕処理を進めることで1次粒子の集合体からなる比表面積の大きな粒子となってしまうが、このような方法で調整された粒子は粒子径が大きく、比表面積の大きい難黒鉛化性炭素となる。もちろんこのような難黒鉛化性炭素も本発明に使用できる。
【００２５】
負極被膜の表面粗さは、０．１〜０．３μｍの範囲、特に好ましくは０．１〜０．２μｍの範囲である。被膜の表面粗さは、塗工の均一性や得られる被膜の密度および被膜の硬さに影響する。被膜の表面粗さが０．３μｍ以上では、被膜の密度が小さくなり容量の低下を招く。また、表面粗さが０．１μｍ以下の場合は、難黒鉛化性炭素粒子の微細化が進み、固有の構造が崩壊し、容量が低下する。また、被膜中に微細な難黒鉛化性炭素粒子が充填されるために被膜の硬度が高くなりすぎ、電極加工工程のスリット時や捲回時に問題を発生するおそれがある。
【００２６】
以上よりペースト粒度をＤ１０粒径が０．５μｍ以上、Ｄ５０粒径が１〜４μｍ、Ｄ９０粒径が８μｍ以下に規定することは、塗工性能向上、塗膜特性向上、電極特性向上のために重要である。また、難黒鉛化性炭素を用いたリチウムイオンキャパシターの負極被膜としての容量や出力（内部抵抗）を最適化する上で、負極被膜構成粒子の粒度分布と負極被膜の比表面積および表面粗さが重要である。
【００２７】
リチウムイオンキャパシターの高容量と内部抵抗を低減するためには、難黒鉛化性炭素の微粒子化により構造が劣化していないことと、導電助剤が最適に分散されていることが必要であり、被膜としてのラマン分光スペクトルのＲ値が１．３〜１．７の範囲で、Ｄバンドの半値幅Ｗ値が７２〜１１５の範囲とすることが好ましい。被膜は黒鉛と導電助剤および分散剤とバインダーから構成されるが、本発明者らは、被膜のラマン分光特性が被膜中の難黒鉛化性炭素と導電助剤との配合量、それら粒子の分散状態で変化することを確認し、難黒鉛化性炭素粒子の周辺にどの様に導電助剤が分散しているかを被膜のラマン分光特性で測定し、最適な被膜構成状態を数値化した。
【００２８】
即ち、ラマンスペクトルのＲ値が１．３以下では、使用する難黒鉛化性炭素のＲ値が小さくなり過ぎたり、導電助剤量が多すぎるときに発生する。難黒鉛化性炭素のＲ値が小さ過ぎる場合、リチウムイオンがインターカラントするサイトが少なくなり、容量の低下を招く。また、導電助剤量が多すぎる場合は、難黒鉛化性炭素の配合量が減少することになり容量の低下を招く。逆にラマンスペクトルのＲ値が１．７以上では、難黒鉛化性炭素の微細化により構造が劣化すると共にエッジサイトが増加した被膜構成になっており、不可逆容量の増加や容量の低下が生じる。すなわち、被膜のラマンスペクトルのＲ値は、被膜の容量と相関があり、１．３〜１．７の範囲であることが重要であり好ましい。
【００２９】
一方、Ｄバンドの半値幅が７２以下では、難黒鉛化炭素の構造が少しずつ規則性を有する状態になるので、リチウムイオンがインターカラントするサイトが少なくなり、容量の低下を招く。また、導電助剤量を多くした場合にもＤバンドの半値幅Ｗ値が７２以下になる。逆に、Ｄバンドの半値幅Ｗ値が１１５以上になると、難黒鉛化炭素の微細化によりアモルファス化が進行した状態になるので、難黒鉛化性炭素の固有の構造が劣化し、容量の低下を生じる。
【００３０】
負極被膜の膜厚４０μｍ時のシート抵抗値は４０〜４００Ωの範囲であり、好ましくは４０〜３００Ω、さらに好ましくは４０Ω〜１５０Ωの範囲である。内部抵抗の低減には電気抵抗の低減が必要である。導電助剤の配合量を最適化することで、シート抵抗値が４０Ωになることが分かっている。導電助剤の配合量増加でシート抵抗値は４０Ω以下を達成できるが、被膜密度が低下する。また、難黒鉛化性炭素の微細化、比表面積の増加などでシート抵抗値が上昇するが、４００Ω以上になると、電気抵抗が高くなり過ぎ内部抵抗低減の効果が認められない。
【００３１】
さらに、容量の向上には被膜密度が高いことが必要で、本発明に基づく被膜形成用ペーストを塗布し、乾燥後の被膜の密度は０．８〜１．０５ｃｍ３／ｇの範囲であることが必要で、好ましくは０．８５〜１．００ｃｍ３／ｇの範囲である。以上、負極被膜の特性値について述べてきたが、これらを達成する個々の因子は、用いる材料に起因する。すなわち主に難黒鉛化性炭素からなる構成粒子のＤ１０粒子径は０．５μｍ以上、Ｄ５０粒子径が１〜４μｍ、Ｄ９０粒子径が８μｍ以下の範囲である。この点は負極被膜の特性値と同じである。
【００３２】
難黒鉛化性炭素粒子のラマンスペクトルにおけるＲ値は１．５〜１．７、Ｗ値は９０〜１０２の範囲である。この要件は、活物質の構造を規定したもので、微粒子化によりＲ値、Ｗ値は増加することとなるが、この範囲においては容量の低下がなく問題が認められない。なお、特に好ましくは難黒鉛化性炭素のＤ１０粒子径が０．６μｍ以上、Ｄ５０粒子径が１．０〜３μｍの範囲、Ｄ９０粒子径が７μｍ以下で、ラマンスペクトルにおけるＲ値が１．５〜１．６、Ｗ値が９８〜１００の範囲である。
【００３３】
また、導電助剤としてラマン分光スペクトルのＲ値が０．２〜１．６の範囲で、Ｄバンドの半値幅Ｗ値が１７〜９５の範囲のケッチェンブラック、アセチレンブラック、黒鉛のいずれかを用いることが好ましい。ケッチェンブラックは、Ｒ値が１．５〜１．６、Ｗ値が６８前後の構造を有し、黒鉛化が進んだ中空のカーボンブラックであると言える。アセチレンブラックはＲ値が１．０〜１．１、Ｗ値が９０前後の構造を有し、難黒鉛化炭素よりも黒鉛に近い構造である。また、導電助剤で用いるＤ５０粒子径が４μｍ前後の黒鉛は、Ｒ値が０．２５前後、Ｗ値が１８前後であり、高い導電性を示す。
【００３４】
導電助剤の配合量は最少に留めて低い抵抗値にすることが重要であるが、最少の添加量にするためには嵩密度が低く、微粒子材料が効果的である。嵩密度の最も低いケッチェンブラックは最少の配合量で効果が得られる。アセチレンブラックは、ケチェンブラックよりは嵩密度が高いが、他の配合材料との相性が良く、高密度の被膜が得られる。黒鉛は、嵩密度が０．１〜０．２ｇ／ｃｍ３と高いため、単独の配合では添加量が多くなる。黒鉛の使用にあたっては、他の助剤との併用も有効である。本発明の塗膜のＷ値は、難黒鉛化炭素のＷ値よりも小さくなっており、難黒鉛化性炭素より黒鉛化が進んだ導電助剤を選定して配合することにより、塗膜のＷ値を低下させ、電極の電気抵抗の低減を達成した。
【００３５】
さらに、分散剤が、カルボキシメチルセルロースのナトリウム塩またはアンモニウム塩であり、またバインダーが、スチレンブタジエン系エラストマーまたはアクリル系エラストマーのいずれかのエマルションであることも有効である。カルボキシメチルセルロース塩としては、カルボキシメチルセルロースナトリウム塩やカルボキシメチルセルロースアンモニウム塩、カルボキシメチルセルロースカルシウム塩が代表的である。本発明においては、カルボキシメチルセルロースのナトリウム塩またはアンモニウム塩を用いる。特に、カルボキシメチルセルロースのナトリウム塩を用いた場合は、難黒鉛化性炭素や導電助剤の分散安定性がよく、電極被膜形成用ペースト（塗料組成物）が一部乾燥しても、水への再溶解性が良く、塗工前の攪拌により未溶解物の無い塗料が作製できる。
【００３６】
バインダーとしては（メタ）アクリル酸エステル（共）重合体、スチレン・（メタ）アクリル酸エステル共重合体などのアクリル系エラストマー、スチレン・ブタジエン共重合体などのスチレンブタジエン系エラストマー、アクリロニトリル・ブタジエン共重合体、ポリブタジエンなどが使用できる。バインダーはそれぞれ単体で或いは２種以上を組み合わせて使用することができる。これらを調整することにより、塗布・被膜化後の被膜密度の向上、膜構造の最適化が可能となり、容量の向上、内部抵抗の低減が達成できる。さらに、難黒鉛化性炭素粒子を微細化したことにより、塗工時の塗布ムラなどの欠陥が改善でき、歩留まり向上に寄与できる。なお、水系のペーストによりペースト製造時、塗工時の作業環境および安全性に優れ、また導電助剤、分散剤、バインダーの最適化により、低抵抗で密着性の良い被膜が得られる。
【００３７】
また、電極被膜形成用ペースト（塗料組成物）の粘度構成としては、２５℃におけるＢ型粘度計による３０ｒｐｍの粘度値が６００〜２４００ｍＰａ・ｓ 、６０ｒｐｍでの粘度値が５００〜２３００ｍＰａ・ｓとすることが好ましい。塗工法で負極被膜を形成する場合、被膜の膜厚は２０μｍ〜８０μｍ程度に設定するのが一般的で、塗工機としてはダイコーター、ブレードコーター、コンマコーター、リップコーター、リバースロールコーターなどが用いられるが、最近は、リチウムイオン電池用電極の形成にダイコーターが用いられる。ダイコーターは、膜厚が均一な被膜が形成でき、また回路的な要素のパターン塗工も可能である。ダイコーターを用いてすじムラなどの塗膜欠陥が少なく、均一な塗工を行うためには、特にＤ９０粒子径を小さくし、ダイのエッジやマニフォールド内に粗粒子や異物が付着すること、または詰まりの発生を防止する必要がある。この点では、本発明の第一点目でも規定したように、被膜のＤ９０粒子径を７μｍ以下に調整することが必要である。なお、回転子３０ｒｐｍでの粘度が６００〜２５００ｍＰａ・ｓ 、６０ｒｐｍでの粘度が５００〜２３００ｍＰａ・ｓにすることで、ダイコーターでの均一塗工が可能になる。
【実施例】
【００３８】
以下に、この発明の実施例について説明するが、この発明はこれらの実施例に限定されるものではない。
（塗料および試料の調整）
カルボキシメチルセルロース（ＣＭＣ）を純水に溶解した水溶液中に粒子径、比表面積、構造の異なる難黒鉛化性炭素粒子と、導電助剤としてケッチェンブラック、アセチレンブラックまたは黒鉛を配合してボールミルで３時間分散させた。その後アクリル系エマルジョンまたはＳＢＲ系エマルジョンを所定量配合し３０分間攪拌した。検討に用いた配合を表１および表２に示す。
【００３９】
（塗料の粘度評価）
作製した塗料の粘度をＢＬ型粘度計を用いて、回転数３０ｒｐｍ、６０ｒｐｍ時の粘度を測定した。測定温度は２５℃とした。粘度の測定に際しては、塗料をプロペラ型の攪拌翼を有する攪拌機を用い、１０００ｒｐｍの攪拌条件で３０分間攪拌してから行った。
【００４０】
（塗料の粒度分布）
レーザー回折式粒度分布計を用いて測定した。屈折率は２．００−０．１ｉを用いた。
【００４１】
（被膜の作製）
作製した塗料を、ギャップ１００μｍのブレードコーターを用い、厚さ１９μｍの銅箔上に塗工した。その後、１００℃で３０分間の熱風乾燥後、７５℃で３０分間、真空乾燥機で乾燥し、厚さ４０μｍの電極被膜を作製した。
【００４２】
（被膜、活物質の比表面積）
作製した電極被膜およびペースト材料として用いた難黒鉛化性炭素粒子や導電助剤粒子の比表面積および細孔構造は、Ｍｉｃｒｏｍｅｒｉｔｉｃｓ社製ＡＳＡＰ２０１０を用い、窒素吸着によりＢＥＴ法で測定した。
【００４３】
（被膜の表面粗さ）
表面粗さ形状測定機を用いて、作製した電極被膜の中心線平均粗さを計測した。測定の際、触針径は２μｍを用い、測定速度０．３ｍｍ／ｓ、測定長さ４ｍｍ、カットオフ値０．８ｍｍとした。
【００４４】
（被膜、活物質のラマン分光特性）
作製した電極被膜および炭素材料の表面構造の分析手法として、ラマン分光法（Ｒｅｎｉｓｈｏｗ社製のＮＲＳ-２１００）により、Ｇバンド（１５８０ｃｍ−１付近）とＤバンド（１３６０ｃｍ−１付近）のピークの面積比であるＲ値（Ｉ１３６０／Ｉ１５８０）を求めた。測定には波長５１４ｎｍのアルゴン（Ａｒ）レーザー光を用いた。面積の測定にあたっては、Ｇバンド近傍とＤバンド近傍の２つのピークの曲線の形がローレンツ関数に近似すると仮定し、これにフィッテイングさせて書き直し、面積比よりＲ値を求めた。
活物質のラマン分光特性は、使用する活物質をスライドグラス上に適量採取し、上記方法でＲ値を測定した。
【００４５】
（被膜の密度評価）  
乾燥後の電極をφ１３ｍｍの大きさに打ち抜き、電極重量を測定した。下地の銅箔の重量を差し引き、被膜の密度を算出した。
【００４６】
（被膜のシート抵抗値）
作製した電極被膜を四端針法にてシート抵抗値を測定した。
【００４７】
（容量、内部抵抗評価）
フェノール系のアルカリ賦活活性炭を活物質とする正極活物質ペーストを４０μｍのアルミニウム箔にブレードコーターを用いて塗布・造膜化し、被膜厚さ１００μｍ、φ２０ｍｍの正極電極を作製した。
次に、難黒鉛化炭素を活物質とする負極活物質ペーストをブレードコーターで厚さ１９μｍの銅箔に塗布・造膜化し、被膜厚さ５０μｍ、φ２０ｍｍの負極電極を作製した。
なお、正極・負極電極の造膜化は以下のとおりである。
ペースト塗工膜の乾燥は１００℃で３０分熱風乾燥後、減圧下１２０℃で１２時間乾燥した。その後、アルゴン雰囲気のグローブボックス中に移し、難黒鉛化炭素材による負極へのリチウムイオンドープを行った。まず、φ２０ｍｍ難黒鉛化炭素電極にセパレータを介してリチウム金属を重ね、単極セルを作成した。電解液は１．２Ｍ（モル）−ＬｉＰＦ6 （六フッ化リン酸リチウム ）／ＰＣ（プロピレン−カーボネート）を使用した。負極への充電は充電容量が３５０ｍＡｈ／ｇになった時に停止し、半充電の負極を作成した。その後活性炭よりなる正極を半充電の負極とセパレータを介して対向させ、試験用セルを作成した。
測定温度２５℃、放電電流２０ｍＡとして、充放電電圧３．８Ｖから２．２Ｖに低下するまでの静電容量（Ｆ）を求めた。また、放電電流２０ｍＡでの初期の電圧低下より内部抵抗（Ω）を求めた。
【００４８】
【表１】
2010098020.tif 000002
【００４９】
実施例は分散剤を含む水媒体中に、難黒鉛化性炭素、導電助剤およびバインダーからなる電極被膜形成用ペーストである。容量の向上と内部抵抗の低減のためには黒鉛の適性構造と導電助剤の組合わせが重要である。比表面積が４〜９５ｍ２／ｇ、ラマン分光分析のＲ値が１．４８〜１．６７、Ｗ値が１７〜３５の難黒鉛化性炭素を用いた検討結果を以下に示す。実施例１から４および比較例１から３は被膜中の構成粒子の粒度分布であるＤ１０粒子径、Ｄ５０粒子径およびＤ９０粒子径を変化させ、また被膜の比表面積および表面粗さの最適化を検討した結果を示す。
【００５０】
比較例１は、Ｄ１０が２．５μｍ、Ｄ５０が８．５μｍ、Ｄ９０が２０μｍで、粒度が大きい例であるが、塗布性が悪く、また塗膜の平滑性が１．２５μｍのため、塗布工程での塗膜欠陥、スリット工程や捲回行程での粉落ちなどが生じやすい。また、塗膜の平滑性低下は、塗膜中における活物質粒子の充填率が低下する傾向があり、塗膜密度が０．７７ｇ／ｃｍ３まで低下しており容量も低下している。
【００５１】
実施例１〜３は負極被膜の比表面積を３．５から２２ｍ２／ｇまで変化させた例であるが、被膜の比表面積が大きいほど内部抵抗が低減し良好である。
【００５２】
被膜の比表面積を４２ｍ２／ｇまで増加させた例を比較例２に示すが、難黒鉛化性炭素の固有の構造が破壊され、被膜のシート抵抗値が上昇する。さらにリチウムイオンの吸蔵サイトが減少し、かつ比表面積の増加により被膜の密度低下をもたらし容量の低下を招く。
【００５３】
実施例４は、Ｄ５０粒子径を１μｍまで微細化した例であるが、塗膜の比表面積を１５ｍ２／ｇに抑えたので、難黒鉛化性炭素粒子の構造劣化も少なく、塗膜密度も０．８５ｇ／ｃｍ３であるため、内部抵抗及び容量ともに良好な値を示している。
【００５４】
比較例３は、Ｄ５０粒子径をさらに微細化し０．８μｍにした例である。比表面積が２６ｍ２／ｇまで上昇し、また、被膜の密度低下も生じているため、容量が低下している。
【００５５】
ここで、実施例４と比較例３を比較すると、難黒鉛化性炭素粒子の比表面積と粒子径には相関がみられないことが分かる。これは、難黒鉛化性炭素粒子をビーズを媒体とする乾式粉砕機で微粉砕する場合、粒子の粉砕と同時に粒子間の凝集も発生するが、粉砕処理を進めることで１次粒子の集合体からなる比表面積の大きな粒子が得られるようになる。この方法で調整された黒鉛系活物質は、粒径が大きく、比表面積の大きいことが特徴で、本実施例では、この手法で調整した難黒鉛化性炭素粒子を使用した。
【００５６】
電極特性の結果を表１中に示した。比較例１は、Ｄ５０粒子径が８．５μｍと大きいため、リチウムイオンの拡散抵抗が大きくなり、内部抵抗は６．５Ωと大きな値を示した。また、比較例２は、難黒鉛化性炭素の比表面積が９５ｍ２／ｇと大きく、また被膜の比表面積も４２ｍ２／ｇと高い例である。Ｄ５０が１．９μｍと比較的高い値を示しているのは、１次粒子の凝集が発生していることを示す。塗膜のＲ値が１．７５、Ｗ値が１１８と高い値を示し、難黒鉛化性炭素固有の結晶構造が劣化していると考えられ、被膜のシート抵抗値も９８１Ωと高い値を示した。また比較例１の電極評価結果は、容量が１Ｆと低い値であり、比表面積の増大に伴い電極構造の劣化が発生し、容量が低下したと考えられる。比較例３は、粒子径を小さくした例であるが、被膜の比表面積が２６ｍ２／ｇ、被膜のシート抵抗が４６０Ωと高い値を示し、比較例２と同様、容量の低下が認められた。一方、実施例１〜４は、容量が１．１Ｆ以上、内部抵抗が６Ω以下であり、良好な特性を示す。
【００５７】
実施例１〜４で示した通り、分散剤としてはＣＭＣ−Ｎａ、ＣＭＣ−ＮＨ３が使用でき、バインダーとしてはＳＢＲ系エラストマーまたはアクリル系エラストマーのエマルジョンが使用可能である。また、導電助剤である、アセチレンブラック、ケッチェンブラック、黒鉛のＲ値、Ｗ値、比表面積を表１に示したが、使用する導電助剤のＲ値、Ｗ値、比表面積は規定値のものを使用することで、抵抗値の低い塗膜を形成できる。
【００５８】
表２は、構造の異なる難黒鉛化性炭素粒子についての比較例、及び導電助剤の検討と被膜構造の最適化について検討した例を示したものである。比較例４、実施例５は結晶性をできるだけよくした難黒鉛化性炭素粒子を用いた例である。比較例４の難黒鉛化性炭素粒子のラマン分光特性はＲ値が１．４８、Ｗ値が８９で、実施例２で使用した難黒鉛化性炭素と比較し、Ｒ値、Ｗ値が結晶性が良くなる方向にシフトしている。その結果、充放電特性として容量が１．０２Ｆまで低下している。以上のようにリチウムイオンキャパシター用負極電極は、比表面積やラマン分光特性で塗膜構造を規定し、また使用材料の構造を規定することで容量及び内部抵抗の優れた負極被膜が得られることが確認された。
【００５９】
【表２】
2010098020.tif 000003
【００６０】
実施例５〜８は導電助剤としてアセチレンブラック、ケッチェンブラック、黒鉛を用いた例である。ペースト物性、被膜の物性が特定の範囲内において、容量、内部抵抗ともに良好な結果を示した。比較例５は、３０ｒｐｍ、６０ｒｐｍ時の粘度が２７００ｍＰａ・ｓ、２３００ｍＰａ・ｓと高い粘度値であるが、膜厚６０μｍの電極被膜を作成するにあたり、塗料の広がりが悪く、膜厚変動が発生した。また被膜の密度が低く、さらに被膜のＷ値も小さいため、容量が低下した。実施例９は粘度の下限を確認した例である。塗布試験の結果から塗布性は良好だが塗料のタレで粘度値の下限と判定した。